【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
基地局のワイヤレス通信の方法であって、
セル中でユーザ機器（ＵＥ）によって送信された信号の送信電力を決定することと、
前記決定された信号電力に基づいて電力制御コマンドを生成することと、
前記電力制御コマンドを複数のＵＥに送信することと、
前記電力制御コマンドの前記送信することに続いて前記複数のＵＥから複数の送信を受信すること、前記複数のＵＥによって送信された前記複数の送信の少なくとも一部分が異なる送信電力を有し、前記複数の送信からの各それぞれの送信の前記送信電力は、前記電力制御コマンドと、前記それぞれの送信に関連するそれぞれのＵＥに関連付けられたあらかじめ定義された電力オフセットとに対応する、と、を備える、方法。
【請求項２】
前記あらかじめ定義された電力オフセットを前記複数のＵＥに動的にシグナリングすることをさらに備える、請求項１に記載の方法。
【請求項３】
前記あらかじめ定義された電力オフセットを動的にシグナリングすることが、前記複数のＵＥからの各ＵＥに、
静的に定義されたオフセットのセットと、
インデックス、ここで、前記インデックスは、静的に定義されたオフセットの前記セットのうちの１つを識別する、と、
をシグナリングすることを含む、請求項２に記載の方法。
【請求項４】
前記セルが仮想セル識別子によって識別される、請求項１に記載の方法。
【請求項５】
前記仮想セル識別子を前記ＵＥに送信することをさらに備え、前記決定された送信電力は、前記仮想セル識別子の前記送信に応答して測定される、請求項４に記載の方法。
【請求項６】
前記信号の前記送信電力は、前記仮想セル識別子に対応するチャネル状態情報を使用して決定される、請求項４に記載の方法。
【請求項７】
異なる物理アップリンク制御チャネル（ＰＵＣＣＨ）が異なる仮想セル識別子に関連付けられ、異なる電力制御ループが各ＰＵＣＣＨについて定義される、請求項４に記載の方法。
【請求項８】
１つまたは複数のＰＵＣＣＨのフォーマットのマッピングをシグナリングすることをさらに備える、請求項７に記載の方法。
【請求項９】
前記送信電力を決定するステップと、前記１つまたは複数の電力制御コマンドを生成するステップと、前記１つまたは複数の電力制御コマンドを送信するステップとが、キャリアアグリゲーションシステム中の各キャリアについて実行される、請求項１に記載の方法。
【請求項１０】
ワイヤレス通信のための装置であって、
セル中でユーザ機器（ＵＥ）によって送信された信号の送信電力を決定するための手段と、
前記決定された信号電力に基づいて電力制御コマンドを生成するための手段と、
前記電力制御コマンドを複数のＵＥに送信するための手段と、
前記電力制御コマンドの前記送信することに続いて前記複数のＵＥから複数の送信を受信するための手段、前記複数のＵＥによって送信された前記複数の送信の少なくとも一部分が異なる送信電力を有し、前記複数の送信からの各それぞれの送信の前記送信電力は、前記電力制御コマンドと、前記それぞれの送信に関連するそれぞれのＵＥに関連付けられたあらかじめ定義された電力オフセットとに対応する、と、を備える、装置。
【請求項１１】
ユーザ機器（ＵＥ）のワイヤレス通信の方法であって、
セル中で第１の信号を送信することと、
あらかじめ定義された電力オフセットを受信することと、
電力制御コマンドを受信することと、
前記セル中で第２の信号を送信すること、前記第２の信号は、前記電力制御コマンドと前記あらかじめ定義されたオフセットとに基づいて決定された信号電力で送信される、と、
を備える、方法。
【請求項１２】
前記電力制御コマンドが、決定された信号電力に基づき、前記決定された電力信号は、前記送信された第１の信号の送信電力に対応する、請求項１１に記載の方法。
【請求項１３】
前記信号電力は、前記あらかじめ定義された電力オフセットに基づいて前記電力制御コマンド中の電力値を調整することによって決定される、請求項１１に記載の方法。
【請求項１４】
ワイヤレス通信のための装置であって、
セル中で第１の信号を送信するための手段と、
あらかじめ定義された電力オフセットを受信するための手段と、
電力制御コマンドを受信するための手段と、
前記セル中で第２の信号を送信するための手段、前記第２の信号は、前記電力制御コマンドと前記あらかじめ定義されたオフセットとに基づいて決定された信号電力で送信される、と、
を備える、装置。
【請求項１５】
実行されると、コンピュータに請求項１乃至９または請求項１１乃至１３のいずれか一項に従う方法を実行させるコードを備えるコンピュータプログラム。
【手続補正２】
【補正対象書類名】明細書
【補正対象項目名】０１０３
【補正方法】変更
【補正の内容】
【０１０３】
[00108]以上の説明は、当業者が本明細書で説明した様々な態様を実施することができるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］  基地局のワイヤレス通信の方法であって、
セル中でユーザ機器（ＵＥ）によって送信された信号の送信電力を決定することと、
前記決定された信号電力に基づいて電力制御コマンドを生成することと、
前記電力制御コマンドを複数のＵＥに送信することと、
前記送信することに続いて前記複数のＵＥから複数の送信を受信すること、前記複数の送信の少なくとも一部分が異なる送信電力を有し、前記複数の送信からの各それぞれの送信の前記送信電力は、前記電力制御コマンドと、前記それぞれの送信に関連するそれぞれのＵＥに関連付けられたあらかじめ定義された電力オフセットとに対応する、と、を備える、方法。
［Ｃ２］  前記あらかじめ定義された電力オフセットを前記複数のＵＥに動的にシグナリングすることをさらに備える、Ｃ１に記載の方法。
［Ｃ３］  前記あらかじめ定義された電力オフセットを動的にシグナリングすることが、前記複数のＵＥからの各ＵＥに、
静的に定義されたオフセットのセットと、
インデックス、ここで、前記インデックスは、静的に定義されたオフセットの前記セットのうちの１つを識別する、と、
をシグナリングすることを含む、Ｃ２に記載の方法。
［Ｃ４］  前記セルが仮想セル識別子によって識別される、Ｃ１に記載の方法。
［Ｃ５］  前記仮想セル識別子を前記ＵＥに送信することをさらに備え、前記決定された送信電力は、前記仮想セル識別子の前記送信に応答して測定される、Ｃ４に記載の方法。
［Ｃ６］  前記信号の前記送信電力は、前記仮想セル識別子に対応するチャネル状態情報を使用して決定される、Ｃ４に記載の方法。
［Ｃ７］  異なる物理アップリンク制御チャネル（ＰＵＣＣＨ）が異なる仮想セル識別子に関連付けられ、異なる電力制御ループが各ＰＵＣＣＨについて定義される、Ｃ４に記載の方法。
［Ｃ８］  １つまたは複数のＰＵＣＣＨのフォーマットのマッピングをシグナリングすることをさらに備える、Ｃ７に記載の方法。
［Ｃ９］  前記マッピングが暗黙的にシグナリングされる、Ｃ８に記載の方法。
［Ｃ１０］  前記送信電力を決定するステップと、前記１つまたは複数の電力制御コマンドを生成するステップと、前記１つまたは複数の電力制御コマンドを送信するステップとが、キャリアアグリゲーションシステム中の各キャリアについて実行される、Ｃ１に記載の方法。
［Ｃ１１］  ワイヤレス通信のための装置であって、
セル中でユーザ機器（ＵＥ）によって送信された信号の送信電力を決定するための手段と、
前記決定された信号電力に基づいて電力制御コマンドを生成するための手段と、
前記電力制御コマンドを複数のＵＥに送信するための手段と、
前記送信することに続いて前記複数のＵＥから複数の送信を受信するための手段、前記複数の送信の少なくとも一部分が異なる送信電力を有し、前記複数の送信からの各それぞれの送信の前記送信電力は、前記電力制御コマンドと、前記それぞれの送信に関連するそれぞれのＵＥに関連付けられたあらかじめ定義された電力オフセットとに対応する、と、を備える、装置。
［Ｃ１２］  送信するための前記手段は、前記あらかじめ定義された電力オフセットを前記複数のＵＥに動的にシグナリングするように構成された、Ｃ１１に記載の装置。
［Ｃ１３］  前記あらかじめ定義された電力オフセットを動的にシグナリングするために、送信するための前記手段が、前記複数のＵＥからの各ＵＥに、
静的に定義されたオフセットのセットと、
インデックス、ここで、前記インデックスは、静的に定義されたオフセットの前記セットのうちの１つを識別する、と、
をシグナリングするようにさらに構成された、Ｃ１２に記載の装置。
［Ｃ１４］  前記セルが仮想セル識別子によって識別される、Ｃ１１に記載の装置。
［Ｃ１５］  送信するための前記手段が、前記仮想セル識別子を前記ＵＥに送信するよう構成され、前記決定された信号電力は、前記仮想セル識別子の前記送信に応答して測定される、Ｃ１４に記載の装置。
［Ｃ１６］  前記信号の前記送信電力は、前記仮想セル識別子に対応するチャネル状態情報を使用して決定される、Ｃ１４に記載の装置。
［Ｃ１７］  異なる物理アップリンク制御チャネル（ＰＵＣＣＨ）が異なる仮想セル識別子に関連付けられ、異なる電力制御ループが各ＰＵＣＣＨについて定義される、Ｃ１４に記載の装置。
［Ｃ１８］  送信するための前記手段が、１つまたは複数のＰＵＣＣＨのフォーマットのマッピングをシグナリングするように構成された、Ｃ１７に記載の装置。
［Ｃ１９］  前記マッピングが暗黙的にシグナリングされる、Ｃ１８に記載の装置。
［Ｃ２０］  ワイヤレス通信のための装置であって、
セル中でユーザ機器（ＵＥ）によって送信された信号の送信電力を決定することと、
前記決定された信号電力に基づいて電力制御コマンドを生成することと、
前記電力制御コマンドを複数のＵＥに送信することと、
前記送信することに続いて前記複数のＵＥから複数の送信を受信すること、前記複数の送信の少なくとも一部分が異なる送信電力を有し、前記複数の送信からの各それぞれの送信の前記送信電力が、前記電力制御コマンドと、前記それぞれの送信に関連するそれぞれのＵＥに関連付けられたあらかじめ定義された電力オフセットとに対応する、と、
を行うように構成された処理システム
を備える、装置。
［Ｃ２１］  前記処理システムが、前記あらかじめ定義された電力オフセットを前記複数のＵＥに動的にシグナリングするようにさらに構成された、Ｃ２０に記載の装置。
［Ｃ２２］  前記あらかじめ定義された電力オフセットを動的にシグナリングするために、前記処理システムが、前記複数のＵＥからの各ＵＥに、
静的に定義されたオフセットのセットと、
インデックス、ここで、前記インデックスは、静的に定義されたオフセットの前記セットのうちの１つを識別する、と、
をシグナリングするようにさらに構成された、Ｃ２１に記載の装置。
［Ｃ２３］  前記セルが仮想セル識別子によって識別される、Ｃ２０に記載の装置。
［Ｃ２４］  前記処理システムが、前記仮想セル識別子を前記ＵＥに送信するようにさらに構成され、前記決定された信号電力は、前記仮想セル識別子の前記送信に応答して測定される、Ｃ２３に記載の装置。
［Ｃ２５］  前記信号の前記送信電力は、前記仮想セル識別子に対応するチャネル状態情報を使用して決定される、Ｃ２３に記載の装置。
［Ｃ２６］  異なる物理アップリンク制御チャネル（ＰＵＣＣＨ）が異なる仮想セル識別子に関連付けられ、異なる電力制御ループが各ＰＵＣＣＨについて定義される、Ｃ２３に記載の装置。
［Ｃ２７］  前記処理システムが、１つまたは複数のＰＵＣＣＨのフォーマットのマッピングをシグナリングするようにさらに構成された、Ｃ２６に記載の装置。
［Ｃ２８］  前記マッピングが暗黙的にシグナリングされる、Ｃ２７に記載の装置。
［Ｃ２９］    セル中でユーザ機器（ＵＥ）によって送信された信号の送信電力を決定することと、
前記決定された信号電力に基づいて電力制御コマンドを生成することと、
前記電力制御コマンドを複数のＵＥに送信することと、
前記送信することに続いて前記複数のＵＥから複数の送信を受信すること、前記複数の送信の少なくとも一部分が異なる送信電力を有し、前記複数の送信からの各それぞれの送信の前記送信電力が、前記電力制御コマンドと、前記それぞれの送信に関連するそれぞれのＵＥに関連付けられたあらかじめ定義された電力オフセットとに対応する、と、
を行うためのコードを備えるコンピュータ可読媒体
を備える、コンピュータプログラム製品。
［Ｃ３０］  前記あらかじめ定義された電力オフセットを前記複数のＵＥに動的にシグナリングするためのコードをさらに備える、Ｃ２９に記載の製品。
［Ｃ３１］  前記あらかじめ定義された電力オフセットを動的にシグナリングするための前記コードが、前記複数のＵＥからの各ＵＥに、
静的に定義されたオフセットのセットと、
インデックス、ここで、前記インデックスは、静的に定義されたオフセットの前記セットのうちの１つを識別する、と、
をシグナリングするためのコードをさらに備える、Ｃ３０に記載の製品。
［Ｃ３２］  前記セルが仮想セル識別子によって識別される、Ｃ２９に記載の製品。
［Ｃ３３］  前記仮想セル識別子を前記ＵＥに送信するためのコードをさらに備え、前記決定された信号電力は、前記仮想セル識別子の前記送信に応答して測定される、Ｃ３２に記載の製品。
［Ｃ３４］  前記信号の前記送信電力は、前記仮想セル識別子に対応するチャネル状態情報を使用して決定される、Ｃ３２に記載の製品。
［Ｃ３５］  異なる物理アップリンク制御チャネル（ＰＵＣＣＨ）が異なる仮想セル識別子に関連付けられ、異なる電力制御ループが各ＰＵＣＣＨについて定義される、Ｃ３２に記載の製品。
［Ｃ３６］  １つまたは複数のＰＵＣＣＨのフォーマットのマッピングをシグナリングするためのコードをさらに備える、Ｃ３５に記載の製品。
［Ｃ３７］  前記マッピングが暗黙的にシグナリングされる、Ｃ３６に記載の装置。
［Ｃ３８］  ユーザ機器（ＵＥ）のワイヤレス通信の方法であって、
セル中で第１の信号を送信することと、
あらかじめ定義された電力オフセットを受信することと、
電力制御コマンドを受信することと、
前記セル中で第２の信号を送信すること、前記第２の信号は、前記電力制御コマンドと前記あらかじめ定義されたオフセットとに基づいて決定された信号電力で送信される、と、
を備える、方法。
［Ｃ３９］  前記電力制御コマンドが、決定された信号電力に基づき、前記決定された電力信号は、前記送信された第１の信号の送信電力に対応する、Ｃ３８に記載の方法。
［Ｃ４０］  前記信号電力は、前記あらかじめ定義された電力オフセットに基づいて前記電力制御コマンド中の電力値を調整することによって決定される、Ｃ３８に記載の方法。
［Ｃ４１］  あらかじめ定義された電力オフセットを受信することが、
静的に定義されたオフセットのセットを受信することと、
インデックスを受信すること、ここで、前記インデックスは、静的に定義されたオフセットの前記セットのうちの１つを識別する、と、
を備える、Ｃ３８に記載の方法。
［Ｃ４２］  前記セルを識別する仮想セル識別子を受信することをさらに備える、Ｃ３８に記載の方法。
［Ｃ４３］  異なる物理アップリンク制御チャネル（ＰＵＣＣＨ）が異なる仮想セル識別子に関連付けられ、異なる電力制御ループが各ＰＵＣＣＨについて定義される、Ｃ４２に記載の方法。
［Ｃ４４］  １つまたは複数のＰＵＣＣＨのフォーマットのマッピングを受信することをさらに備える、Ｃ４３に記載の方法。
［Ｃ４５］  ワイヤレス通信のための装置であって、
セル中で第１の信号を送信するための手段と、
あらかじめ定義された電力オフセットを受信するための手段と、
電力制御コマンドを受信するための手段と、
前記セル中で第２の信号を送信するための手段、前記第２の信号は、前記電力制御コマンドと前記あらかじめ定義されたオフセットとに基づいて決定された信号電力で送信される、と、
を備える、装置。
［Ｃ４６］  前記電力制御コマンドが、決定された信号電力に基づき、前記決定された電力信号が、前記送信された第１の信号の送信電力に対応する、Ｃ４５に記載の装置。
［Ｃ４７］  前記信号電力は、前記あらかじめ定義された電力オフセットに基づいて前記電力制御コマンド中の電力値を調整することによって決定される、Ｃ４５に記載の装置。
［Ｃ４８］  あらかじめ定義された電力オフセットを受信するための前記手段が、
静的に定義されたオフセットのセットを受信することと、
インデックスを受信すること、ここで、前記インデクスは、静的に定義されたオフセットの前記セットのうちの１つを識別する、と、
を行うように構成された、Ｃ４５に記載の装置。
［Ｃ４９］  前記セルを識別する仮想セル識別子を受信するための手段をさらに備える、Ｃ４５に記載の装置。
［Ｃ５０］  異なる物理アップリンク制御チャネル（ＰＵＣＣＨ）が異なる仮想セル識別子に関連付けられ、異なる電力制御ループが各ＰＵＣＣＨについて定義される、Ｃ４９に記載の装置。
［Ｃ５１］  １つまたは複数のＰＵＣＣＨのフォーマットのマッピングを受信するための手段をさらに備える、Ｃ５０に記載の装置。
［Ｃ５２］  ワイヤレス通信のための装置であって、
セル中で第１の信号を送信することと、
あらかじめ定義された電力オフセットを受信することと、
電力制御コマンドを受信することと、
前記セル中で第２の信号を送信すること、前記第２の信号が、前記電力制御コマンドと前記あらかじめ定義されたオフセットとに基づいて決定された信号電力で送信される、と、
を行うように構成された処理システム
を備える、装置。
［Ｃ５３］  前記電力制御コマンドが、決定された信号電力に基づき、前記決定された電力信号が、前記送信された第１の信号の送信電力に対応する、Ｃ５２に記載の装置。
［Ｃ５４］  前記信号電力は、前記あらかじめ定義された電力オフセットに基づいて前記電力制御コマンド中の電力値を調整することによって決定される、Ｃ５２に記載の装置。
［Ｃ５５］  あらかじめ定義された電力オフセットを受信するために、前記処理システムが、
静的に定義されたオフセットのセットを受信することと、
インデックスを受信すること、ここで、前記インデックスは、静的に定義されたオフセットの前記セットのうちの１つを識別する、と、
を行うようにさらに構成された、Ｃ５２に記載の装置。
［Ｃ５６］  前記処理システムが、前記セルを識別する仮想セル識別子を受信するようにさらに構成された、Ｃ５２に記載の装置。
［Ｃ５７］  異なる物理アップリンク制御チャネル（ＰＵＣＣＨ）が異なる仮想セル識別子に関連付けられ、異なる電力制御ループが各ＰＵＣＣＨについて定義される、Ｃ５６に記載の装置。
［Ｃ５８］  前記処理システムが、１つまたは複数のＰＵＣＣＨのフォーマットのマッピングを受信するようにさらに構成された、Ｃ５７に記載の装置。
［Ｃ５９］    セル中で第１の信号を送信することと、
あらかじめ定義された電力オフセットを受信することと、
電力制御コマンドを受信することと、
前記セル中で第２の信号を送信すること、前記第２の信号は、前記電力制御コマンドと前記あらかじめ定義されたオフセットとに基づいて決定された信号電力で送信される、と、
を行うためのコードを備えるコンピュータ可読媒体
を備える、コンピュータプログラム製品。
［Ｃ６０］  前記電力制御コマンドが、決定された信号電力に基づき、前記決定された電力信号が、前記送信された第１の信号の送信電力に対応する、Ｃ５９に記載の製品。
［Ｃ６１］  前記信号電力は、前記あらかじめ定義された電力オフセットに基づいて前記電力制御コマンド中の電力値を調整することによって決定される、Ｃ５９に記載の製品。
［Ｃ６２］  あらかじめ定義された電力オフセットを受信するためのコードが、
静的に定義されたオフセットのセットを受信することと、
インデックスを受信すること、ここで、前記インデックスは、静的に定義されたオフセットの前記セットのうちの１つを識別する、と、
を行うためのコードを備える、Ｃ５９に記載の製品。
［Ｃ６３］  前記セルを識別する仮想セル識別子を受信するためのコードをさらに備える、Ｃ５９に記載の製品。
［Ｃ６４］  異なる物理アップリンク制御チャネル（ＰＵＣＣＨ）が異なる仮想セル識別子に関連付けられ、異なる電力制御ループが各ＰＵＣＣＨについて定義される、Ｃ６３に記載の製品。
［Ｃ６５］  １つまたは複数のＰＵＣＣＨのフォーマットのマッピングを受信するためのコードをさらに備える、Ｃ６４に記載の製品。